(57)【要約】【課題】二次電池への充電時において、高温となっている二次電池の電池温度を簡単な構造で速やかに低下させる。【解決手段】一部を充電器本体１７から外方へ突出させた熱伝導部１９が充電器本体１７に設けられ、この熱伝導部１９には放熱部２０が熱的に接続されている。二次電池７の充電のために二次電池７を収納したハウジング２を充電器１６に結合したとき、熱伝導部１９がハウジング２に形成された挿入口１２から挿入されて二次電池７に熱的に接続されている電池カバー１３に面接触する。したがって、二次電池７の充電時には、二次電池７の熱が電池カバー１３から熱伝導部１９に伝わり、さらに、熱伝導部１９から放熱部２０に伝わって放熱されるので、充電時において二次電池７の電池温度を簡単な構造で速やかに適正充電温度に低下させることができる。【選択図】    図８
2004319219.tif 000002
【特許請求の範囲】
【請求項１】
二次電池を収納したハウジングと前記二次電池の充電のために着脱可能に結合される充電器において、
一部が充電器本体から外方へ突出させて前記充電器本体に設けられ、前記ハウジングとの結合時に前記ハウジングに形成された挿入口から挿入されて前記二次電池の外周部に設置され、かつ熱的に接続されている電池カバーに面接触する熱伝導部と、
前記充電器本体に設けられて前記熱伝導部に熱的に接続された放熱部と、
を有することを特徴とする充電器。
【請求項２】
前記放熱部が前記充電器本体内に設けられ、前記充電器本体に前記放熱部の上方に位置する放熱穴が形成されていることを特徴とする請求項１記載の充電器。
【請求項３】
前記放熱部の少なくとも一部が前記充電器本体の外部に設けられていることを特徴とする請求項１記載の充電器。
【請求項４】
前記放熱部の少なくとも一部が前記充電器本体の外部であって床面に接触する位置に設けられていることを特徴とする請求項１記載の充電器。
【請求項５】
前記熱伝導部は、金属、若しくはカーボン、又は、これらの複合材料により形成されていることを特徴とする請求項１ないし４のいずれか一記載の充電器。
【請求項６】
二次電池と、この二次電池を駆動源として駆動される電動送風機とがハウジング内に収納され、前記二次電池への充電時に前記ハウジングが請求項１ないし５のいずれか一記載の充電器に結合される充電式電気掃除機において、
前記ハウジング内に設けられ、前記二次電池に熱的に接続された電池カバーと、
前記ハウジングに形成され、前記充電器への前記ハウジングの結合時に前記充電器に設けられている前記熱伝導部が前記電池カバーに面接触する位置へ向けて挿入される挿入口と、
前記ハウジングに設けられ、このハウジングの前記充電器への結合時に前記充電器に設けられている位置合わせ部を挟持する間隔に設定された一対の車輪と、を有することを特徴とする充電式電気掃除機。
【請求項７】
前記挿入口は、前記車輪を用いて前記ハウジングを前記充電器との結合位置に向けて走行させたときに前記熱伝導部が挿入される向きに形成されていることを特徴とする請求項６記載の充電式電気掃除機。
【請求項８】
前記電池カバーは、前記二次電池の電極が設けられている面に接触していることを特徴とする請求項６又は７記載の充電式電気掃除機。
【請求項９】
前記電池カバーは、前記挿入口から挿入された前記熱伝導部に面接触する向きに付勢されていることを特徴とする請求項６ないし８のいずれか一記載の充電式電気掃除機。
【発明の詳細な説明】
【０００１】
【発明の属する技術分野】
本発明は、充電器及び充電式電気掃除機に関する。
【０００２】
【従来の技術】
従来、充電式電気掃除機及びその充電式電気掃除機の二次電池を充電するための充電器について様々な発明が提案され、実用化されている。このような充電式電気掃除機の充電において特に留意すべき点の一つは、電池温度が高い二次電池に対して充電を行うと二次電池の寿命が短くなるという点である。
【０００３】
そこで、電池温度を測定するサーミスタを設け、サーミスタの測定結果が適正充電温度（例えば、１０〜３０℃）より高い場合には充電を行わず、サーミスタの測定結果が適正充電温度範囲内となった場合に充電を開始するように制御する制御手段を備えたものが知られている。
【０００４】
このような制御手段を供えた充電式電気掃除においては、掃除中に二次電池が終止電圧に達したために二次電池の充電を行おうとしても、掃除中には二次電池の電池温度が４０〜５０℃に達している場合が多く、その電池温度が適正充電温度に下がるまで待たなければならない。二次電池はハウジング内に収納されているために放熱性が低く、自然放熱により適正充電温度に下がるまで待っていたのでは長時間にわたって掃除を中断しなければならない場合がある。
【０００５】
そこで、高温になっている二次電池の電池温度を速やかに低下させて二次電池の充電が可能になるまでの待ち時間を短縮するようにした発明が提案されている（例えば、特許文献１参照）。
【０００６】
この特許文献１に開示された発明によれば、二次電池の充電のために充電式電気掃除機を充電器（ＡＣアダプタ本体）に結合したときに、充電器内と充電式電気掃除機内とを連通するとともに二次電池がその途中に位置する風路を形成している。そして、充電器に設けられた送風機を駆動させることによりその風路内に冷却風を流し、この冷却風によって二次電池を強制的に空冷している。
【０００７】
【特許文献１】
特開２００２−６５５３５公報
【０００８】
【発明が解決しようとする課題】
しかし、上述した特許文献１に開示された発明では、二次電池を空冷するための冷却風が流れる風路を充電器内と掃除機内とに形成しなければならず、構造が複雑になる。
【０００９】
また、充電式電気掃除機内に風路を形成することにより充電式電気掃除機が大型化し、家電製品全般に対する要望である小型化に反することになる。
【００１０】
さらに、充電器においては、充電のための機構のほかに冷却のための送風機やこの送風機に付随する様々な機構を設けなければならず、充電器が大型化し、高価格となる。
【００１１】
本発明の目的は、二次電池への充電時において、高温となっている二次電池の電池温度を簡単な構造で速やかに低下させることである。
【００１２】
【課題を解決するための手段】
本発明の充電器は、一部を充電器本体から外方へ突出させた熱伝導部が前記充電器本体に設けられ、この熱伝導部には放熱部が熱的に接続されている。二次電池の充電のために二次電池を収納したハウジングを充電器に結合したとき、前記熱伝導部が前記ハウジングに形成された挿入口から挿入されて前記二次電池に熱的に接続されている電池カバーに面接触させる。
【００１３】
したがって、二次電池の充電のためにハウジングを充電器に結合したとき、挿入口からハウジング内に挿入された熱伝導部が電池カバーに面接触し、この電池カバーが二次電池に熱的に接続されているので、二次電池の熱が電池カバーから熱伝導部に伝わり、さらに、熱伝導部から放熱部に伝わって放熱部から放熱されるので、充電時において二次電池の電池温度を簡単な構造で速やかに低下させることができる。
【００１４】
【発明の実施の形態】
本発明の第１の実施の形態を図１ないし図１０に基づいて説明する。図１は、充電式電気掃除機１の外観構成を示す斜視図である。この充電式電気掃除機１は、基体をなすハウジング２に対して着脱自在にホース３が接続され、ホース３の先端部に着脱自在に延長管４が接続され、延長管４の先端部に着脱自在に吸込口体５が取付けられている。ハウジング２の後方下部には走行用の一対の車輪６が取付けられ、ハウジング２の前方下部には走行用の一個の車輪（図示せず）が取付けられている。
【００１５】
ハウジング２内部には、二次電池７と、この二次電池７を駆動源として駆動される電動送風機８とが収納されている。ホース３は、その基端が図示しない集塵室を介して電動送風機８の吸込側に連通するようにハウジング２に接続されており、ホース３の先端側であって延長管４が接続される箇所の近傍には、後方に向けてホース３から分岐された握り部９と、この握り部９を握った操作者の指で操作可能な範囲に位置する操作手段１０とが設けられている。
【００１６】
操作手段１０は、電動送風機８の電源スイッチを兼ね、この電動送風機８をそれぞれ異なる駆動状態にする複数種類の運転モードを選択設定することができるように構成されている。具体的には、握り部９から延長管４の方向に向けて、運転モードの一つである停止設定用の操作ボタン、運転モードの一つである弱運転設定用の操作ボタン、運転モードの一つである強運転設定用の操作ボタンが一列に配設されている。
【００１７】
図２は、ハウジング２の後部側を示す斜視図である。ハウジング２は上部ケース２ａと下部ケース２ｂとにより形成され、下部ケース２ｂの後部側には、二次電池７へ充電するための充電用端子１１が設けられ、上部ケース２ａの後部側には、二次電池７への充電時に二次電池７からの放熱を促進するための後述する熱伝導部１９が挿入される挿入口１２が形成されている。なお、この挿入口１２には、スプリング等の付勢体により閉止方向に付勢されたシャッター（図示せず）が設けられており、このシャッターは、熱伝導部１９が挿入口１２から挿入されるときにその熱伝導部１９に押されて開放され、熱伝導部１９が挿入口１２から抜け出したときに挿入口１２を閉止する。
【００１８】
図３は、ハウジング２内における二次電池７の取付構造を示す斜視図である。二次電池７は、例えばニッケルカドミウム電池、ニッケル水素電池、リチウムイオン電池の円筒形のものを複数本直列に接続した組電池である。二次電池７の側面には電池温度検出手段としてのサーミスタや過電流保護機能（図示せず）などが備えられ、樹脂材料、例えば、熱収縮チューブで１つにまとめられている。この二次電池７の外周部には、図４に示すように略コの字型に形成された電池カバー１３が取付けられている。電池カバー１３は、二次電池７の電極が設けられている面に接触させるように位置付けられており、二次電池７と電池カバー１３とは熱的に接続されている。電池カバー１３は銅又はアルミニウム等の熱伝導性の良い材料で形成されている。
【００１９】
さらに、ハウジング２内には、二次電池７への充電時において二次電池７の電池温度が適正充電温度範囲内となるまで充電を開始しないように制御する制御する制御手段（図示せず）が設けられている。
【００２０】
電池カバー１３が取付けられた二次電池７は、下部ケース２ｂと一体に形成された二次電池載置部１４と、上部ケース２ａと一体に形成された二次電池上方押え部１５との間に配置され、二次電池載置部１４上に載置されている。二次電池載置部１４は、車輪６を床面に接地させている状態において、二次電池７が載置される面がハウジング２の内方に向かうにつれて下向きに傾斜する台形状に形成されている。このため、二次電池載置部１４上に載置された二次電池７は、車輪６を床面に接地させている状態において、ハウジング２内の奥側に位置する部分が下側となる向きに斜めに載置されている。二次電池上方押え部１５は、車輪６を床面に接地させている状態において略水平となる向きに形成されている。また、この二次電池上方押え部１５は、後述する熱伝導部１９が挿入口１２から挿入される充電時において、電池カバー１３及び二次電池７を熱伝導部１９に押圧する向きに付勢する弾性を有している。なお、二次電池載置部１４は挿入口１２と略同じ位置に形成されている。
【００２１】
図５は、充電式電気掃除機１の二次電池７を充電する縦置き形式の充電器１６を示す斜視図である。図６は、その分解斜視図である。
【００２２】
充電器１６は、中空状のケースである充電器本体１７、充電用端子１８、充電用端子１８に接続された充電制御回路（図示せず）、熱伝導部１９、放熱部であるフィン２０、載置部２１、位置合わせ部２２、位置合わせ用ガイド部２３、底板２４等により構成されている。二次電池７への充電時には、図７ないし図１０に示すように、充電式電気掃除機１のハウジング２が充電器１６に着脱可能に結合される。
【００２３】
載置部２１は充電器本体１７の一部を構成する部分であり、二次電池７を充電するためにハウジング２を充電器１６に結合したときにハウジング２が載置される。この載置部２１は、ハウジング２の凸面形状部が嵌まり込む凹面形状に形成されている。
【００２４】
充電用端子１８は、ハウジング２を載置部２１に載置したときに、ハウジング２に設けられている充電用端子１１と接続される部材であり、載置部２１上に設けられている。充電用端子１８と充電用端子１１とが接続されることにより、二次電池７に対する充電が可能となる。
【００２５】
熱伝導部１９は、その大部分が充電器本体１７内に位置し、その一部が載置部２１に形成された穴部１９ａを貫通して充電器本体１７の外方へ突出している。熱伝導部１９における充電器本体１７の外方へ突出した部分は、ハウジング２を充電器１６に結合したときにハウジング２に形成された挿入口１２からハウジング２内に挿入され、電池カバー１３に面接触する。熱伝導部１９が電池カバー１３に面接触することにより、二次電池７の熱が電池カバー１３を介して熱伝導部１９に伝わる。熱伝導部１９が載置部２１から突出する寸法は、二次電池７の奥行き寸法より僅かに長く設定されている。この熱伝導部１９は、熱伝導性の良い材料である金属、若しくはカーボン、又はこれらの複合材料、例えば、銅、銀、アルミニウム、真鍮、カーボン系材料、又は、これらの複合材料により形成されている。
【００２６】
フィン２０は、熱伝導部１９と一体に形成され、又は、熱伝導部１９と別体に形成された後に連結されて熱的に接続されている。フィン２０は熱伝導部１９と同じように熱伝導性の良い材料である金属、若しくはカーボン、又はこれらの複合材料、例えば、銅、銀、アルミニウム、真鍮、カーボン系材料、又は、これらの複合材料により形成されている。フィン２０と熱伝導部１９とは、底板２４を外した部分から充電器本体１７内に入れられ、ネジ２５を用いて充電器本体１７にネジ止めされている。
【００２７】
位置合わせ部２２と位置合わせ用ガイド部２３とは充電器本体１７の一部を構成する部分であり、位置合わせ部２２は、ハウジング２を充電器１６に結合するときに結合位置を位置合わせする部分である。位置合わせ用ガイド部２３は、位置合わせ部２２の上方に位置し、上方向きに突出するとともに上方に向かうにつれて幅が狭くなるように傾斜した中空状に形成されている。この位置合わせ部２２を用いた結合位置の位置合わせは、ハウジング２を載置部２１に載置するときに、ハウジング２の後方下部に取付けられている一対の車輪６を位置合わせ用ガイド部２３に沿って下方へ移動させ、その車輪６で位置合わせ部２２を挟持することにより行える。車輪６の幅寸法“Ｌａ”は、位置合わせ部２２の幅寸法“Ｌｂ”と略同じか、又は、僅かに大きく設定されている。
【００２８】
位置合わせ用ガイド部２３はフィン２０の上方に位置付けられ、位置合わせ用ガイド部２３の上端面及び上部側側面には複数の放熱穴２６が形成されている。
【００２９】
底板２４は、充電器本体１７の底面部分を閉止している。
【００３０】
このような構成において、充電式電気掃除機１による掃除中に二次電池７の電圧が終止電圧に達したために二次電池７を充電する場合には、ハウジング２に設けられている把持部２７を把持してハウジング２を持ち上げ、持ち上げたハウジング２を下ろして充電器１６に結合する。ハウジング２を充電器１６に結合することにより、充電用端子１１と充電用端子１８とが接続され、熱伝導部１９が挿入口１２に挿入されるとともに挿入された熱伝導部１９が電池カバー１３に面接触する。
【００３１】
持ち上げたハウジング２を下ろして充電器１６に結合するとき、車輪６を位置合わせ用ガイド部２３に沿って下方へ移動させるとともにその車輪６によって位置合わせ部２２を挟持する（図８、図９参照）。ここで、車輪６の幅寸法“Ｌａ”が、位置合わせ部２２の幅寸法“Ｌｂ”と略同じか、又は、僅かに大きく設定されているので、ハウジング２を充電器１６に結合するときの結合位置の位置合わせを、車輪６で位置合わせ部２２を挟持することにより精度良く行える。しかも、車輪６はハウジング２に設けられている既存の部品であり、結合位置の位置合わせ用に新たな部品を追加する必要がなく、コスト上昇が生じない。また、充電器１６側においては、位置合わせ部２２は充電器本体１７の一部を構成する部分であり、その幅寸法を車輪６の幅寸法に応じて設計するだけであり、新たな部品を追加するものではないので、位置合わせ部２２を形成してもコスト上昇が生じない。
【００３２】
ハウジング２を充電器１６に結合させたとき、充電用端子１１と充電用端子１８とが接続され、さらに、二次電池７の電池温度が適正充電温度範囲内の場合に二次電池７への充電が行われる。
【００３３】
また、ハウジング２を充電器１６に結合させたとき、熱伝導部１９が挿入口１２から挿入されて電池カバー１３に面接触することにより、二次電池７の熱が電池カバー１３を介して熱伝導部１９に伝わり、さらにこの熱は熱伝導部１９からフィン２０へ伝わり、フィン２０から放熱される。このため、二次電池７の充電時において、二次電池７の電池温度を簡単な構造で速やかに下げることができる。したがって、二次電池７を充電しようとしたときに二次電池７の電池温度が適正充電温度以上に上昇しているために制御手段によって充電が停止された場合でも、短時間のうちに二次電池７の電池温度を適正充電温度に下げることができ、短時間の停止時間の後に充電を開始することができる。
【００３４】
フィン２０から放熱された熱は、充電器本体１７内の空気を温め、暖まった空気は位置合わせ用ガイド部２３内を上昇して放熱穴２６から放出される。これにより、フィン２０から放熱された熱の充電器本体１７外へ排出を速やかに行え、熱伝導部１９やフィン２０による二次電池７の温度を下げる機能を維持することができる。
【００３５】
なお、電池カバー１３と二次電池７との接触部において、二次電池７の電極が設けられている面に電池カバー１３が接触しているので、二次電池７から電池カバー１３への伝熱が効果的に行われる。
【００３６】
ここで、充電式電気掃除機１においては、二次電池７の充電時における二次電池７の電池温度を下げるために新たに確保するスペースとしては、熱伝導部１９が挿入されるスペースを確保するだけでよく、充電式電気掃除機１の小型化を図ることができる。
【００３７】
熱伝導部１９が挿入口１２に挿入された場合、台形状の二次電池載置部１４に載置されている二次電池７が熱伝導部１９に押されて二次電池押え部１５側（図１０の矢印ａ方向側）へ回動し、熱伝導部１９が最奥部へ挿入されたときには二次電池７が二次電池押え部１５に当接する。二次電池７が二次電池押え部１５に当接することにより、二次電池押え部１５の弾性により電池カバー１３が熱伝導部１９に押圧される。これにより、熱伝導部１９と電池カバー１３との面接触が確実に行われ、電池カバー１３から熱伝導部１９への熱の伝わりが促進される。
【００３８】
充電完了後、把持部２７を把持し、ハウジング２を充電器１６に結合したときとは逆の要領でハウジング２を持ち上げる。ハウジング２を持ち上げると、充電用端子１１と充電用端子１８とが離反するとともに挿入口１２から熱伝導部１９が抜け出し、挿入口１２はシャッターにより閉止される。この後、床面にハウジング２を載置することで、二次電池７は自身の重量により二次電池載置部１４に載置される位置へ回動して元の位置に戻る。この状態において操作者は再び掃除することが可能となる。
【００３９】
なお、本実施の形態では、熱伝導部１９やフィン２０の材料として金属を用いた場合を例に挙げて説明したが、二次電池７で発生した熱を良好に伝熱させることができるものであれば、樹脂などを用いてもよい。
【００４０】
本発明の第２の実施の形態を図１１に基づいて説明する。なお、図１ないし図１０において説明した部分と同じ部分は同じ符号で示し、説明も省略する（以下の実施の形態でも同じ）。
【００４１】
本実施の形態の充電器３１は第１の実施の形態の充電器１６と略同じであり、本実施の形態の充電器３１が第１の実施の形態の充電器１６と異なる点は、位置合わせ用ガイド部２３の上端面に放熱穴２６に代えて放熱ファン３２を設けた点である。
【００４２】
この放熱ファン３２を設けることにより、フィン２０からの放熱により暖められた充電器本体１７内の空気を強制的にすばやく充電器本体１７外に排出することができる。これにより、フィン２０からの放熱性を高めることができ、ひいては、二次電池７から電池カバー１３を介して熱伝導部１９への熱の伝わりを促進することができ、充電時における二次電池７を電池温度を充電適正温度までより速く低下させることができる。さらに、放熱ファン３１を設けることにより充電時における二次電池７や充電制御回路の温度上昇を有効に抑えることができ、電流を増加させて短時間で充電することも可能となる。
【００４３】
本発明の第３の実施の形態を図１２及び図１３に基づいて説明する。本実施の形態の充電器４１は第１の実施の形態の充電器１６と略同じであり、本実施の形態の充電器４１が第１の実施の充電器１６と異なる点は、放熱部として、フィン２０に代えて板状の外部放熱板４２を設け、この外部放熱板４２を充電器本体１７の外部に露出させた点である。
【００４４】
外部放熱板４２と熱伝導部１９は一体に形成され、又は、熱伝導部１９と別体に形成された後に連結されて熱的に接続されている。
【００４５】
熱伝導部１９と外部放熱板４２とは、底板２４を外した部分から充電器本体１７に入れられ、熱伝導部１９を載置部２１に形成された穴部１９ａから突出させるとともに外部放熱板４２を充電器本体１７の側面に形成された穴部４２ａから突出させ、ネジ２５を用いて充電器本体１７にネジ止めされている。
【００４６】
このようにして充電器本体１７の外部に外部放熱板４２を設けることにより、電池カバー１３や熱伝導部１９を介して二次電池７から伝わった熱が、外部放熱板４２から充電器本体１７外に速やかに放熱される。これにより、充電時において二次電池７の電池温度を簡単な構造で速やかに低下させることができる。
【００４７】
本発明の第４の実施の形態を図１４ないし図１６に基づいて説明する。本実施の形態の充電器５１は横置き形式であり、その外観形状は第３の実施の形態（図１２および図１３）と略同じあるが、充電時における使用形態の向きが異なり、位置合わせ用ガイド部２３を床面に接触させる向きで使用される。これにより、穴部１９ａから突出している熱伝導部１９は床面と平行な向きに突出し、穴部４２ａから突出している外部放熱板４２が床面に接触する。
【００４８】
二次電池７への充電時には、車輪６を用いてハウジング２を充電器５１との結合位置に向けて走行させ、さらに、車輪６が位置合わせ用ガイド部２３を跨ぐようにしてハウジング２を走行させるとともに車輪６で位置合わせ部２２を挟持することによりハウジング２を充電器５１に結合することができる。この結合により、充電用端子１１と充電用端子１８とが接続され、熱伝導部１９がハウジング２に形成されている挿入口１２に挿入されるとともに挿入された熱伝導部１９が二次電池７の電池カバー１３に面接触する。
【００４９】
ここで、位置合わせ用ガイド部２３の先端部における床面からの高さ寸法は“Ｈａ”に設定され、この高さ寸法は位置合わせ部２２に向けて次第に大きくなり、位置合わせ部２２の床面からの高さ寸法“Ｈｂ”は、車輪６の半径寸法より僅かに大きく設定されている。これにより、ハウジング２が充電器５１に結合されて車輪６が位置合わせ部２２を挟持しているときには、車輪６は床面から離反し、ハウジング２側の重量が電池カバー１３を介して熱伝導部１９に作用し、電池カバー１３は熱伝導部１９に面接触する向きに付勢される。これにより、電池カバー１３と熱伝導部１９の接触状態が良好になり、充電時における二次電池７から電池カバー１３と熱伝導部１９とを介して外部放熱板４２への熱伝導が良好に行われ、二次電池７の充電時において二次電池７の電池温度を簡単な構造で速やかに下げることができる。
【００５０】
さらに、外部放熱板４２が床面に接触しており、床面は毛足の長いカーペット等の一部を除いて空気よりも熱伝導性が良いため、充電時における二次電池７の電池温度をより一層速やかに下げることができる。
【００５１】
このような構成において、本実施の形態では、ハウジング２に形成されている挿入口１２は、ハウジング２を充電器５１との結合位置に向けて走行させたときに熱伝導部１９が挿入される向きに形成されているので、ハウジング２を二次電池７の充電のために充電器５１に結合する操作を、充電式電気掃除機１を持ち上げることなくハウジング２を充電器５１に向けて車輪６を用いて走行させることにより行える。これにより、ハウジング２を充電器５１に結合する際の操作性を向上させることができる。
【００５２】
【発明の効果】
本発明の充電器によれば、ハウジング内に収納された二次電池の充電時にその二次電池の電池温度を簡単な構造で速やかに低下させることができる。
【図面の簡単な説明】
【図１】本発明の第１の実施の形態の充電式電気掃除機を示す斜視図である。
【図２】充電式電気掃除機の一部を示す斜視図である。
【図３】充電式電気掃除機における二次電池の取付構造を示す斜視図である。
【図４】二次電池への電池カバーの取付構造を示す斜視図である。
【図５】縦置き形式の充電器を示す斜視図である。
【図６】その分解斜視図である。
【図７】二次電池の充電のためにハウジングを充電器に結合させた状態を示す斜視図である。
【図８】ハウジングの充電器への結合状態を示す側面図である。
【図９】ハウジングの充電器への結合状態を示す正面図である。
【図１０】ハウジングの充電器への結合時における電池カバーと熱伝導部との接触状態を説明する側面図である。
【図１１】本発明の第２の実施の形態の充電器を示す分解斜視図である。
【図１２】本発明の第３の実施の形態の充電器を示す斜視図である。
【図１３】その分解斜視図である。
【図１４】本発明の第４の実施の形態の充電器と充電式電気掃除機とを示す斜視図である。
【図１５】その充電器を示す分解斜視図である。
【図１６】電池カバーと熱伝導部との接触状態を示す斜視図である。
【符号の説明】
１      充電式電気掃除機
２      ハウジング
６      車輪
７      二次電池
８      電動送風機
１２      挿入口
１３      電池カバー
１６      充電器
１７      充電器本体
１９      熱伝導部
２０      放熱部
２２      位置合せ部
２６      放熱穴
３１      充電器
４１      充電器
５１      充電器
【図１】
2004319219.tif 000003
【図２】
2004319219.tif 000004
【図３】
2004319219.tif 000005
【図４】
2004319219.tif 000006
【図５】
2004319219.tif 000007
【図６】
2004319219.tif 000008
【図７】
2004319219.tif 000009
【図８】
2004319219.tif 000010
【図９】
2004319219.tif 000011
【図１０】
2004319219.tif 000012
【図１１】
2004319219.tif 000013
【図１２】
2004319219.tif 000014
【図１３】
2004319219.tif 000015
【図１４】
2004319219.tif 000016
【図１５】
2004319219.tif 000017
【図１６】
2004319219.tif 000018